(57)【特許請求の範囲】
【請求項１】
二つの部材間を連結するために両部材に形成した取付孔を利用して連結する合成樹脂製の連結具において、断面が角筒状の本体中央に壁を設け、角筒状の本体外側方に、一方の部材に形成した取付孔に係合する係止爪を設け、さらに、角筒状の本体の一辺を延長した板部材に、他方の部材に形成した取付孔に係合する戻り止め爪と、取り外し用のガイド孔とガイドレールとを設けたことを特徴とする連結具。
【請求項２】
机における天板と、脚部または袖部キャビネットとを連結する連結具において、天板側の補強折り曲げ片に取付孔を穿設し、脚部または袖部キャビネットに連結具を挿入するためのガイド用孔部を有する取付孔を穿設し、前記天板と、脚部または袖部キャビネット間を連結する断面が角筒状の本体中央に壁を設け、角筒状の本体外側方に天板に形成した取付孔に係合する係止爪を設け、さらに、角筒状の本体の一辺を延長した板部材に、脚部または袖部キャビネットに形成した取付孔に係合する戻り止め爪と、取り外し用のガイド孔とガイドレールとを設けたことを特徴とする机の天板と、脚部または袖部キャビネットとを連結する連結具。
【発明の詳細な説明】
【０００１】
【発明の属する技術分野】
本発明は、二つの部材を連結するための連結具で、例えば机の天板と、脚部または袖部キャビネットとの連結に用いるドライバー等の工具を必要としない連結具に関するものである。
【０００２】
【従来の技術】
従来、天板又は脚部の一方の連結面側に止め穴を形成し、他方の連結面側に開口と少なくとも該開口の一対の口縁に連続した傾斜面を形成し、合成樹脂製で一体成形した連結具の係合突部を前記止め穴に嵌合係止するとともに、該連結具の側方から突出した弾性復元性を有する係止爪を前記開口の口縁に係止して互いに連結してなる天板と脚部との連結装置であって、前記連結具は中空状の胴部の両側に前記傾斜面に接合するテーパーを有する位置決め部を突設し、該胴部の上下一端には前記係合突部を形成するとともに、該胴部の一側部には弾性片部を形成し且つその先端外側方に前記係止爪を突設し、更に該弾性片部に降伏点以上の内方変形を生じさせないように前記胴部に形成したストッパー部で弾性片部を当止してなる天板と脚部との連結装置（特開平７−２３８１９号公報参照）が存在している。
【０００３】
【発明が解決しようとする課題】
従来の天板と脚部との連結装置は、係止爪を解除するために下辺が開放されている。この下辺が開放されていないと変形しないので係止を解除することができない。しかも、係止爪には鋸歯部を形成して、この鋸歯部で脚部の傾斜面を係止するものであり、このように複雑な構造にしないと機能しないものであり、製造においても金型においても複雑であるという問題があった。
【０００４】
本発明は、これらの事情に鑑み、簡単な構成により得ることができたもので、下辺を開放しないで、角筒状の本体中央に補強壁を設け、係止爪の部分が合成樹脂の弾性復元性を利用して押し下げると、一時変形して一方の部材に形成した取付孔に係止できるもので、しかも、角筒状の一辺を延長した板部材に戻り止め爪と、取り外し用ガイド孔とガイドレールとを設けた二つの部材を連結する連結具を得ることを目的とするものである。
【０００５】
【課題を解決するための手段】
本発明は、前記課題を解決するために、次のような技術手段を採用した。請求項１記載の発明においては、二つの部材間を連結するために両部材に形成した取付孔を利用して連結する合成樹脂製の連結具において、断面が角筒状の本体中央に壁を設け、角筒状の本体外側方に、一方の部材に形成した取付孔に係合する係止爪を設け、さらに、角筒状の本体の一辺を延長した板部材に、他方の部材に形成した取付孔に係合する戻り止め爪と、取り外し用のガイド孔とガイドレールとを設けるという技術手段を採用した。
【０００６】
請求項２記載の発明においては、机における天板と、脚部または袖部キャビネットとを連結する連結具において、天板側の補強折り曲げ片に取付孔を穿設し、脚部または袖部キャビネットに連結具を挿入するためのガイド用孔部を有する取付孔を穿設し、前記天板と、脚部または袖部キャビネット間を連結する断面が角筒状の本体中央に壁を設け、角筒状の本体外側方に天板に形成した取付孔に係合する係止爪を設け、さらに、角筒状の本体の一辺を延長した板部材に、脚部または袖部キャビネットに形成した取付孔に係合する戻り止め爪と、取り外し用のガイド孔とガイドレールとを設けるという技術手段を採用した。
【０００７】
【発明の実施の形態】
以下、本発明の実施例を添付図面で詳細に説明する。
図１に示すものは、本発明に係る第１実施例の机における天板と脚部との連結を説明するための斜視図、図２に示すものは、本発明の連結具を示す斜視図、図３に示すものは連結状態を示す断面図である。
【０００８】
本発明は、二つの部材を連結組立てする上で、特殊な連結具を採用することによってネジ止めをせず、工具を使用することなく簡単に連結組立て可能にしたものである。
【０００９】
事務机、学習机等のスチールデスクは、天板、脚部、袖部、幕板等を各々量産し、これを工場の組立ラインで互いにネジ止めして組み立て、最終完成品の状態で包装して出荷、あるいは完成品を主要部品に分解して出荷し、各販売代理店に在庫し、これを販売先で組み立てている。そのために、該組立てのためのラインを工場内に設け、あるいは販売代理店、需要者のオフィス内等にて組み立てる必要があるが、この組み立てるデスク１つ当たり複数個のネジ止め作業をしなければならない。この不便を解決するために、ネジ止めの不要な連結装置が前記従来の技術の項でも述べたように存在しているが、この従来の技術にも問題があった。
【００１０】
この問題を解決したものが本発明の連結具である。この本発明の連結具を机の天板と、脚部または袖部キャビネットと連結する具体的な実施例を図１〜図３に基づいて詳細に説明する。
【００１１】
図１は、本発明の天板と、脚部、及び袖部キャビネットとの連結に連結具を採用して組み立てるスチール机１を示した斜視図、図中２は天板、３は脚部、４は複数の引出しを有する袖部キャビネットを示す。図２は、脚部３または袖部キャビネット４の取付孔５と、天板の補強板８に形成した天板の取付孔６に連結具７を取り付ける状態を示す斜視図、図３は図２の状態から連結具７で連結固定した状態の断面図をそれぞれ示している。
そして、本発明は、二つの部材を連結する組立物品であれば、各種のものに適用可能である。
【００１２】
ここで、本発明の具体的な実施例としてスチール机１の天板２と脚部３との連結について詳細に説明する。
天板２と脚部３を連結面側で連結する場合、天板の補強板８に天板の取付孔６を、脚部３に取付孔５を形成する。この実施例では天板２の周辺に形成した補強板８に連結具７の係止爪９が係止できる天板の取付孔６を穿設し、脚部３の天板２との連結面に連結具７を取り付ける取付孔５を穿設する。
【００１３】
そして、この取付孔５は、連結具７の底面に形成したガイドレール１０が摺動案内できる狭幅のガイド用孔部１１と、同じく連結具７の底面に形成した戻り止め爪１２と係合する狭幅の切り欠き孔１３を有するものである。
【００１４】
次に、連結具７について図２、図３に基づき詳細に説明する。
合成樹脂で一体成形したもので、形状は断面が角筒状で横倒した状態の連結具本体１４で、この連結具本体１４の中央に補強用の壁１５を形成し、この壁１５は、天板２に取り付ける係止爪９側の一部が切り欠いたように切り欠き部１８を形成し、さらに、連結具本体１４の外側方の一方に係止爪９を設ける。
【００１５】
また、角筒状の連結具本体１４の一辺（この実施例では底辺に相当）を延長して板部材１６を一体的に形成し、この板部材１６は弾性復元力を利用できるようにする。さらに、この板部材１６の端部に戻り止め爪１２を形成し、この戻り止め爪１２の手前に取り外し用のガイド孔１７を棒状部材、例えばドライバー等の先端部が挿入でき、突き抜けないで係止できる程度の径の穴を穿設する。そして、角筒状の連結具本体１４の底部には、ガイドレール１０が形成されているものである。
【００１６】
ここで、具体的にスチール机１の天板２と脚部３との連結について説明する。連結具本体１４の底部に形成したガイドレール１０を脚部３に形成した取付孔５に挿入して、ガイド用孔部１１側にスライドさせながら挿入固定する（この際板部材１６は弾性復元力のある材料で制作されているので、若干曲げられた状態で脚部３の上部をスライドする）。すると、板部材１６の端部に設けられた戻り止め爪１２が脚部３の取付孔５に形成された狭幅の切り欠き孔１３に係合し固定される。
【００１７】
以上のように、脚部３に連結具７を取り付けた状態になったら、天板２を位置合わせしながら上方から押し下げると、連結具本体１４の壁１５が切り欠かれた切り欠き部１８があるために、若干の変形を生じながら天板２の補強板８に穿設された天板の取付孔６に係合し、係止され連結できるものである。このようにネジ止め等、一切必要なく連結固定できるものである。
【００１８】
また、天板の取付孔６に適合させる上で、図２のようなガイド１９を設けることにより簡単に位置合わせが可能である。さらに、製品強度が特に必要な場合、前後方向の力に対しては、天板２の前後に連結具７が取り付けられているのでズレが無い。そして、上下方向の力に対しては天板２の前後の天板の取付孔６と連結具７の係止爪９との係止でズレは無い。また、左右方向の力に対しては、天板の取付孔６と係止爪９の左右のガタツキと強い力の場合、天板の取付孔６からハズれる可能性が有るのをガイド１９でガイドすることで防止することができる。
【００１９】
しかも、ガイド１９は図１のＡ部の４ヶ所に設けると良い。なお、４ヶ所以上Ｂ部も含めて設けても良い。図２、図３で図示されている溝２０は無くても良いが、溝２０が形成されていれば係止爪９への応力を分散させることができる。
【００２０】
次に、図３に基づいて連結具７の取り外しについて説明する。
脚部３の底面に穿設したバカ孔２１より棒状のもの、例えばドライバー等を挿入して連結具本体１４の板部材１６に形成したガイド孔１７に係合させ、板部材１６を押し上げながら、脚部３の板厚から外し、ドライバー等をそのまま横にずらすようにして連結具７をずらすことによって、解除することができるものである。
【００２１】
なお、この取り外しのためのガイド孔１７に換えて棒状のもの、例えばドライバー等が引っかかってずらすことができるものであれば凹部あるいは凸部でも機能は同様に奏するものである。
【００２２】
【発明の効果】
本発明は、以上の構成を採用した結果、次の効果を得ることができる。
（１）ワンタッチで取付連結が可能で、ノックダウン化ができる。
（２）合成樹脂による一体成形が可能で部品の削減、品質の安定、そしてコストダウンにつながるものである。
（３）取り外しが容易で、組み換えが可能である。
【図面の簡単な説明】
【図１】本発明の第１実施例における、机における天板と脚部を取り外した状態を示す概略斜視図である。
【図２】本発明の第１実施例における、机における天板と脚部を連結するための連結具を示す概略斜視図である。
【図３】本発明の第１実施例における、机における天板と脚部を連結具で連結した状態を示す断面図である。
【符号の説明】
１‥‥スチール机                    ２‥‥天板
３‥‥脚部                          ４‥‥袖部キャビネット
５‥‥取付孔                        ６‥‥天板の取付孔
７‥‥連結具                        ８‥‥補強板
９‥‥係止爪                      １０‥‥ガイドレール
１１‥‥ガイド用孔部                １２‥‥戻り止め爪
１３‥‥切り欠き孔                  １４‥‥連結具本体
１５‥‥壁                          １６‥‥板部材
１７‥‥ガイド孔                    １８‥‥切り欠き部
１９‥‥ガイド                      ２０‥‥溝
２１‥‥バカ孔
【図１】
0003982894.tif 000002
【図２】
0003982894.tif 000003
【図３】
0003982894.tif 000004